(57)【要約】 【課題】ＯＣＢモードを用いた液晶表示装置の初期化期間において、容易に対向電圧（ＶＣＯＭ）と蓄積容量電圧（ＣＳＴ）とを同じ波形にすることが困難である。  【解決手段】液晶表示装置が起動された時点から所定の期間である初期化期間であって、ＯＣＢモード液晶を均質なスプレイ状態にする初期化期間には、第１のアナログスイッチ５１は、ソースドライバ用アナログ電圧に基づく電圧を選択して出力するよう制御され、第２のアナログスイッチ５２は、バッファアンプ５４の出力を選択して出力するよう制御され、第３のアナログスイッチ５３は、バッファアンプ５４の出力を選択して出力するよう制御される。【選択図】図５
2007206272.tif 000002
【特許請求の範囲】
【請求項１】
マトリックス状に配置されたソース信号線及びゲート信号線と、前記ソース信号線及びゲート信号線の交点に設けられた画素電極及び蓄積容量と、対向電極と、前記画素電極と対向電極との間に狭持されたＯＣＢモード液晶と、共通電極とを有し、前記蓄積容量の一端は、前記画素電極に接続されており、前記蓄積容量の他端は前記共通電極に接続されている液晶表示パネルと、
前記ゲート信号線にゲート信号を供給するゲートドライバと、
前記ソース信号線にソース信号を供給するソースドライバとを備えた液晶表示装置に供給する液晶駆動電圧を発生する液晶駆動電圧発生回路であって、
入力されてくる対向電圧と、入力されてくる、ソースドライバ用アナログ電圧に基づく電圧とのいずれかを選択して出力する第１のアナログスイッチと、
前記第１のアナログスイッチからの出力電圧を安定化させるバッファアンプと、
前記第１のアナログスイッチからの出力電圧と第１の転移駆動電圧と第２の転移駆動電圧とのいずれかを選択して出力する第２のアナログスイッチと、
前記バッファアンプの出力と、入力されてくる蓄積容量電圧とのいずれかを選択して出力する第３のアナログスイッチとを備え、
前記第２のアナログスイッチの出力は、前記対向電極に接続され、
前記第３のアナログスイッチの出力は、前記共通電極に接続され、
前記液晶表示装置が起動された時点から所定の期間である初期化期間であって、前記ＯＣＢモード液晶を均質なスプレイ状態にする前記初期化期間には、前記第１のアナログスイッチは、前記ソースドライバ用アナログ電圧に基づく電圧を選択して出力するよう制御され、前記第２のアナログスイッチは、前記バッファアンプの出力を選択して出力するよう制御され、前記第３のアナログスイッチは、前記バッファアンプの出力を選択して出力するよう制御される、液晶駆動電圧発生回路。
【請求項２】
前記初期化期間の後の期間である転移駆動期間であって、前記ＯＣＢモード液晶をスプレイ状態からベンド状態に転移させる前記転移駆動期間には、前記第２のアナログスイッチは、前記第１の転移駆動電圧と前記第２の転移駆動電圧とを交互に選択して出力するよう制御され、前記第３のアナログスイッチは、前記蓄積容量電圧を選択して出力するよう制御される、請求項１記載の液晶駆動電圧発生回路。
【請求項３】
前記転移期間の後の期間である映像表示期間であって、入力画像を前記液晶表示パネルに表示する前記映像表示期間には、前記第２のアナログスイッチは、前記バッファアンプの出力を選択して出力するよう制御され、前記第３のアナログスイッチは、前記蓄積容量電圧を選択して出力するよう制御される、請求項２記載の液晶駆動電圧発生回路。
【請求項４】
前記ソースドライバ用アナログ電圧に基づく電圧とは、前記ソースドライバ用アナログ電圧から生成され、その電圧値が前記ソースドライバ用アナログ電圧の半分の電圧値を有する電圧である、請求項１記載の液晶駆動電圧発生回路。
【請求項５】
前記第１、第２、第３のアナログスイッチは、それぞれ半導体を用いたスイッチである、請求項１記載の液晶駆動電圧発生回路。
【請求項６】
請求項１記載の液晶駆動電圧発生回路と、
基板とを備え、
前記液晶駆動電圧発生回路は、前記基板上に形成されている、集積回路。
【請求項７】
マトリックス状に配置されたソース信号線及びゲート信号線と、前記ソース信号線及びゲート信号線の交点に設けられた画素電極及び蓄積容量と、対向電極と、前記画素電極と対向電極との間に狭持されたＯＣＢモード液晶と、共通電極とを有し、前記蓄積容量の一端は、前記画素電極に接続されており、前記蓄積容量の他端は前記共通電極に接続されている液晶表示パネルと、
前記ゲート信号線にゲート信号を供給するゲートドライバと、
前記ソース信号線にソース信号を供給するソースドライバとを備えた液晶表示装置に供給する液晶駆動電圧を発生する液晶駆動電圧発生方法であって、
入力されてくる対向電圧と、入力されてくる、ソースドライバ用アナログ電圧に基づく電圧とのいずれかを選択して出力する第１の選択ステップと、
前記第１の選択ステップで選択された電圧を安定化させる安定化ステップと、
前記第１の選択ステップで選択された電圧と第１の転移駆動電圧と第２の転移駆動電圧とのいずれかを選択して出力する第２の選択ステップと、
前記安定化ステップで安定化された電圧と、入力されてくる蓄積容量電圧とのいずれかを選択して出力する第３の選択ステップとを備え、
前記第２の選択ステップからの出力電圧は、前記対向電極に供給され、
前記第３の選択ステップからの出力電圧は、前記共通電極に供給され、
前記液晶表示装置が起動された時点から所定の期間である初期化期間であって、前記ＯＣＢモード液晶を均質なスプレイ状態にする前記初期化期間には、前記第１の選択ステップは、前記ソースドライバ用アナログ電圧に基づく電圧を選択して出力し、前記第２の選択ステップは、前記安定化ステップで安定化された電圧を選択して出力し、前記第３の選択ステップは、前記安定化ステップで安定化された電圧を選択して出力する、液晶駆動電圧発生方法。
【発明の詳細な説明】
【技術分野】
【０００１】
本発明は、ＯＣＢモード液晶を用いた液晶表示装置に供給する液晶駆動電圧を発生する液晶駆動電圧発生回路、集積回路、及び液晶駆動電圧発生方法に関するものである。
【背景技術】
【０００２】
液晶表示装置は薄型、軽量であり、従来のブラウン管に代替するものとして、近年一層用途が拡大されてきた。しかし、現在広く使用されているＴＮ（Ｔｗｉｓｔｅｄ  Ｎｅｍａｔｉｃ）配向液晶パネルは視野角が狭く、また応答速度が遅く、動画表示時には尾を引くように見える等、ブラウン管より画質が劣る。
【０００３】
これに対して、近年、高速応答、高視野角という特徴を有するＯＣＢ（Ｏｐｔｉｃａｌｌｙ  Ｃｏｍｐｅｎｓａｔｅｄ  Ｂｉｒｅｆｒｉｎｇｅｎｃｅ）モードを用いた液晶表示装置が用いられるようになってきている。この液晶表示装置は、液晶をベンド配向させて視覚補償を行い、さらにこれに光学位相補償フィルムを組み合わせることにより広い視野角を得るようにしたものである。
【０００４】
図７（ａ）及び図７（ｂ）にＯＣＢモードを用いた液晶表示装置を構成する液晶表示パネルの概略を示す。図７（ａ）は、ＯＣＢモードを用いた液晶表示装置を構成する液晶表示パネルの電圧印加状態を示す図であり、図１３（ｂ）は、ＯＣＢモードを用いた液晶表示装置を構成する液晶表示パネルの電圧無印加状態を示す図である。
【０００５】
図７（ａ）及び図７（ｂ）に示すように、２枚のガラス基板１０４、１０５の間には、液晶分子１０１として示すようにネマチック液晶が注入されている。ガラス基板１０４の上側には２軸性フィルム１０３と偏光板１０２とから構成される光学位相フィルムが設けられており、また、ガラス基板１０５の下側には、偏光板１０６が設けられている。
【０００６】
そして、図７（ａ）に示すように、電圧を印加していない液晶の配向状態は、スプレイ状態１０７と呼ばれている。液晶表示装置の電源投入時には転移駆動と呼ばれる駆動を行う必要がある。すなわち、転移駆動とは、液晶表示装置の電源投入時にこの液晶層に２０ボルトから２５ボルト程度の比較的大きな電圧を印加することにより、図７（ａ）に示すスプレイ状態１０７から図７（ｂ）に示すベンド状態１０８に転移させる駆動のことである。このベンド状態１０８を用いて表示を行うのが、ＯＣＢモード液晶の特徴であり、電圧の大きさを変化させることでパネルの透過率を変化させることが出来る。
【０００７】
また、転移駆動を行う期間である転移駆動期間の時間的な長さは、ＯＣＢモードを用いた液晶層に対して、一旦電圧無印加状態を保つことによって短縮することが出来る。ＯＣＢモードを用いた液晶層を電圧無印加状態にすることによって、液晶層が均質なスプレイ状態になるからと考えられている。そして、このようにＯＣＢモードを用いた液晶層に対して電圧無印加状態を保つ期間を初期化期間と呼ぶことにする。
【０００８】
つまり、ＯＣＢモードを用いた液晶表示装置は、電源投入後に、初期化期間において液晶層を均質なスプレイ状態にし、転移駆動期間において高電圧を液晶層に印加することにより、液晶層をスプレイ状態からベンド状態に転移させた後に、動画や静止画などの表示データが液晶表示装置の表示画面に表示される。以下ＯＣＢモードを用いた液晶表示装置の電源投入後から、初期化期間、及び転移駆動期間を経て映像表示期間が開始されるまでについて詳細に説明する。
【０００９】
図８に、液晶表示装置１１０のブロック図を示す。また、図９に、液晶表示装置１１０のうち、液晶表示パネル６の１画素近傍、及びソースドライバ４の部分を示す図である。
【００１０】
入力電源１２は、液晶表示装置１１０が動作するための電源を供給する手段である。
【００１１】
コントローラ回路２は、画像信号処理や駆動タイミングを制御する回路である。コントローラ回路２は、表示データを入力し、その表示データに対応する表示信号を出力し、また、ソースドライバ４、ゲートドライバ５、液晶駆動電圧発生回路１１１に対しタイミング制御信号を送る回路である。
【００１２】
液晶表示パネル６は、図９に示すようにマトリックス状に配置されたソース信号線９及びゲート信号線１０と、ソース信号線９及びゲート信号線１０の交点に設けられ、ＯＣＢモード液晶を使用した画素とを有する表示パネルである。なお、画素については、後述する。
【００１３】
ゲートドライバ５は、液晶表示パネル６の各ゲート信号線１０に線順次走査を行うための選択走査信号を供給する回路である。
【００１４】
ソースドライバ４は、液晶表示パネル６の各ソース信号線９に画像信号電圧を供給する回路である。
【００１５】
ソースドライバ４にはソース信号線９が接続されており、またゲートドライバ５にはゲート信号線１０が接続されている。
【００１６】
そして、ソース信号線９とゲート信号線１０の交点には、画素トランジスタ２１、画素電極２２、及び補償電位を保持するための蓄積容量ＣＳＴ２３が形成されており、画素電極２２と対向電極２４との間には図示していないＯＣＢモードの液晶層が狭持されている。また、蓄積容量ＣＳＴ２３の一端は画素電極２２に接続され、蓄積容量ＣＳＴ２３の他端は、共通電極２５に接続されている。
【００１７】
また、画素トランジスタ２１のゲートはゲート信号線１０に接続されており、画素トランジスタ２１のソースはソース信号線９に接続されており、画素トランジスタ２１のドレインは、画素電極２２に接続されている。
【００１８】
また、ＣＬＣ２６は、画素電極２２と対向電極２４とＯＣＢモードの液晶層とから形成される容量であり、ＣＧＳ２７は画素トランジスタ２１のゲートとソースとの間で形成される容量であり、ＣＧＤ２８は、画素トランジスタ２１のゲートとドレインとの間で形成される容量である。
【００１９】
なお、以下の記述で画素とは、画素電極２２、画素トランジスタ２１、蓄積容量ＣＳＴ２３、対向電極２４の画素電極２２に対向する部分、及び対向電極２４の画素電極２２に対向する部分と画素電極２２とで狭持されたＯＣＢモードの液晶層の部分を言うものとする。
【００２０】
図８に戻って、液晶駆動電圧発生回路１１１は、入力電源１２から電源の供給を受けて、各種の駆動電圧を出力する回路である。
【００２１】
図１０に、液晶駆動電圧発生回路１１１の詳細な構成を示す。液晶駆動電圧発生回路１１１は、ソースドライバ用駆動電圧発生回路３１、ゲートドライバ用駆動電圧発生回路３２、対向電圧発生回路１１５、及び蓄積容量電圧発生回路１１６を備えている。このうち対向電圧発生回路１１５と蓄積容量電圧発生回路１１６とをまとめて転移駆動機能付電圧発生回路１１４と呼ぶことにする。
【００２２】
ソースドライバ用駆動電圧発生回路３１は、ソースドライバ４に対してソースドライバ用駆動電圧（ＡＶＤＤ）を供給する回路である。ゲートドライバ用駆動電圧発生回路３２は、ゲートドライバ５に対して、ゲートドライバ用駆動電圧（ＶＧＧ、ＶＥＥ）を供給する回路である。対向電圧発生回路１１５は、対向電極２４に対して、対向電圧（ＶＣＯＭ）を供給する回路である。蓄積容量電圧発生回路１１６は、共通電極２５に対して、蓄積容量電圧（ＣＳＴ）を供給する回路である。
【００２３】
図１１に転移駆動機能付電圧発生回路１１４の回路構成を示す。転移駆動機能付電圧発生回路１１４は、第１アナログスイッチ１２１、第２アナログスイッチ１２２、第３アナログスイッチ１２３、第１バッファアンプ１３１、及び第３バッファアンプ１２３から構成される。
【００２４】
第１アナログスイッチ１２１、第２アナログスイッチ１２２、第３アナログスイッチ１２３は、それぞれ、ＦＥＴやダイオードなどをスイッチ素子として使った電子的なスイッチ回路である。
【００２５】
また、第１バッファアンプ１３１及び第２バッファアンプ１３２は、液晶表示パネル６の各種信号配線の負荷容量に電圧を安定して供給するための回路である。
【００２６】
第１アナログスイッチ１２１は、２個の入力端子と１個の出力端子とを有しており、２個の入力端子のうちの一方の端子には、対向電圧（ＶＣＯＭ）が入力され、２個の入力端子のうちの他方の端子には、ソースドライバ用駆動電圧（ＡＶＤＤ）の半分の電圧（以下ＡＶＤＤ／２と呼ぶ）が入力されるよう結線されている。そして、第１アナログスイッチ１２１の出力端子は、第１バッファアンプ１３１の入力端子に接続されている。
【００２７】
また、第１バッファアンプ１３１の出力端子は、３個の入力端子を有する第２アナログスイッチ１２２の一つの入力端子に接続されている。第２アナログスイッチ１２２の残りの二つの入力端子には、ＶＤＨ及びＶＳＤがそれぞれ入力されるように結線されている。そして、第２アナログスイッチ１２２の出力端子は、図９に示す対向電極２４に接続されている。なお、ＶＤＨは、３０ボルト程度の電圧であり、ＶＳＤは、―２０ボルト程度の電圧である。
【００２８】
一方、第２バッファアンプ１３２の入力端子は、第１アナログスイッチ１２１のＡＶＤＤ／２が入力される方の入力端子と接続されており、第２バッファアンプ１３２には、ＡＶＤＤ／２が入力される。そして、第２バッファアンプ１３２の出力端子は、２個の入力端子を有する第３アナログスイッチ１２３の一方の入力端子に接続されている。
【００２９】
また、第３アナログスイッチ１２３の他方の入力端子には、蓄積容量電圧（ＣＳＴ）が入力されるよう結線されている。そして、第３アナログスイッチ１２３の出力端子は、図９に示す共通電極２５に接続されている。
【００３０】
次に、このような液晶表示装置１１０の動作を説明する。
【００３１】
液晶表示装置１１０の電源スイッチをオン状態にした際、入力電源１２は、コントローラ回路２と液晶駆動電圧発生回路１１１とに供給され、まず、コントローラ回路２が起動される。そして、コントローラ回路２は、ソースドライバ４に対して画像表示信号とタイミング制御信号を送り、ゲートドライバ５に対してタイミング制御信号を送る。
【００３２】
液晶駆動電圧発生回路１１１のソースドライバ用駆動電圧発生回路３１は、ソースドライバ４に対してソースドライバ用駆動電圧（ＡＶＤＤ）を供給する。また、液晶駆動電圧発生回路１１１のゲートドライバ用駆動電圧発生回路３２は、ゲートドライバ５に対してゲートドライバ用駆動電圧（ＶＧＧ、ＶＥＥ）を供給する。また、液晶駆動電圧発生回路１１１の対向電圧発生回路１１５は、対向電極２４に対して、対向電圧（ＶＣＯＭ）を供給する。また、液晶駆動電圧発生回路１１１の蓄積容量電圧発生回路１１６は、共通電極２５に対して、蓄積容量電圧（ＣＳＴ）を供給する。
【００３３】
入力電源１２がオフ状態からオン状態に切り替えられてから、液晶表示装置１１０は、初期化期間、及び転移駆動期間を経て、映像表示期間に入ってから初めて液晶表示パネル６に入力画像データの表示を開始する。以下、初期化期間、転移駆動期間、及び映像表示期間までの液晶表示装置１１０の動作を詳細に説明する。
【００３４】
図１２は、図８に示す液晶表示装置１１０の入力電源１２がオフ状態からオン状態に切り替えられてから実際の表示データが液晶表示パネル６に表示されるまでの間に、各種の電圧が時間的にどのように変化するかを示す図である。図１２では、紙面に向かって左側から右側に向かって時間が経過している。
【００３５】
図１２において、１４１は、入力電源１２の出力電圧である。１４２は、図１０に示す転移駆動機能付電圧発生回路１１４から図９に示す対向電極２４に供給される対向電圧（ＶＣＯＭ）を示している。１４３は、図１０に示す転移駆動機能付電圧発生回路１１４から図９に示す共通電極２５に供給される蓄積容量電圧（ＣＳＴ）を示している。
【００３６】
また、初期化期間４１は、液晶表示パネル６のＯＣＢモードを用いた液晶層を電圧無印加状態にする期間である。すなわち、液晶表示パネル６のＯＣＢモードを用いた液晶層に対して電圧無印加状態を保つことにより、ＯＣＢモードを用いた液晶層は、均質なスプレイ状態になる。このような初期化期間４１を設けることにより、次に説明する転移駆動期間４２の時間的な長さを短縮することが出来る。
【００３７】
また、転移駆動期間４２は、初期化期間４１に引き続く期間であり、液晶表示パネル６のＯＣＢモードを用いた液晶層に高い電圧を印加することによりＯＣＢモードを用いた液晶層をスプレイ状態からベンド状態に転移させる期間である。
【００３８】
また、映像表示期間４３は、転移駆動期間４２に引き続く期間であり、動画や静止画などの表示データを液晶表示パネル６に実際に表示する期間である。
【００３９】
次に、図１２を参照して、液晶表示装置１１０の入力電源１２がオフ状態からオン状態に切り替えられ、液晶表示装置１１０の液晶表示パネル６に動画や静止画などの表示データが表示されるまでの動作を詳細に説明する。
【００４０】
図８において、液晶表示装置１１０の入力電源１２がオフ状態からオン状態に切り替えられると、入力電源１２の出力電圧は、０ボルトから一定の電圧になる。そして、液晶表示装置１１０は初期化期間４１に入る。
【００４１】
初期化期間４１の間には、図１１に示す転移駆動機能付電圧発生回路１１４の第１のアナログスイッチ１２１は、ＡＶＤＤ／２を選択して第１バッファアンプ１３１に出力するよう制御される。従って、初期化期間４１には、第１バッファアンプ１３１には、ＡＶＤＤ／２が入力される。第１バッファアンプ１３１は、ＡＶＤＤ／２の電圧を安定化させ、第２アナログスイッチ１２２に出力する。ソースドライバ用駆動電圧（ＡＶＤＤ）は通常１３ボルト程度の電圧であるので、ＡＶＤＤ／２は、６．５ボルト程度の電圧になる。
【００４２】
また、初期化期間４１の間には、第２アナログスイッチ１２２は、第１バッファアンプ１３１の出力を選択して、第２アナログスイッチ１２２の出力端子から出力するよう制御される。従って、初期化期間４１には、対向電圧として、ＡＶＤＤ／２、すなわち、ソースドライバ用駆動電圧（ＡＶＤＤ）の半分の電圧が対向電極２４に供給される。
【００４３】
また、初期化期間４１の間には、第３アナログスイッチ１２３は、第２バッファアンプ１３２の出力を選択して、第３アナログスイッチ１２３の出力端子から出力するよう制御される。従って、初期化期間４１には、第２バッファアップ１３２は、ＡＶＤＤ／２の電圧を安定化させ、第３アナログスイッチ１２３に出力する。そして、第３アナログスイッチ１２３は、安定化されたＡＶＤＤ／２を、蓄積容量電圧（ＣＳＴ）として、図９に示す共通電極２５に供給する。
【００４４】
従って、初期化期間４１の間には、対向電極２４にＡＶＤＤ／２の電圧が印加され、共通電極２５にもＡＶＤＤ／２の電圧が印加されるので、液晶表示パネル６のＯＣＢモードを用いた液晶層に対して電圧無印加状態を保つことが出来る。従って、ＯＣＢモードを用いた液晶層は、均質なスプレイ状態になる。  
【００４５】
初期化期間４１が完了すると、液晶表示装置１１０は、転移駆動期間４２に入る。
【００４６】
転移駆動期間４２の間には、図１１に示す転移駆動機能付電圧発生回路１１４の第２アナログスイッチ１２２は、ＶＳＤとＶＤＨとを交互に選択して第２アナログスイッチの出力端子１２２から出力するよう制御される。このときバッファアンプ１３１の出力は第２アナログスイッチ１２２によって選択されないので、第１アナログスイッチ１２１はどのような状態であっても構わない。前述したようにＶＤＨは、３０ボルト程度の高電圧であり、ＶＳＤは、−２０ボルト程度の低電圧である。
【００４７】
また、転移駆動期間４２の間には、第３アナログスイッチ１２３は、ＣＳＴを選択して、第３アナログスイッチの出力端子から出力するよう制御される。従って、転移駆動期間４２の間には、第３アナログスイッチ１２３は、蓄積容量電圧（ＣＳＴ）を、共通電極２５に供給する。蓄積容量電圧（ＣＳＴ）は通常０ボルトから２ボルト程度の電圧である。
【００４８】
転移駆動期間４２の間には、転移駆動機能付電圧発生回路１１４は、図１２に示すように、共通電極２５に、最大電圧であるＶＤＨと最小電圧であるＶＳＤと交互に供給することにより、対向電極２４の電圧を大きく変化させる。そして、ゲートドライバ５は、ゲート信号線１０を１ラインずつ走査し、ソースドライバ４は、ドット反転駆動で高電圧（黒色）に対応する電圧）をソース信号線９に印加する。このように、転移駆動期間４２には、液晶表示パネル６のＯＣＢモード液晶を用いた液晶層を撹乱方式でスプレイ状態からベンド状態に転移させる。
【００４９】
転移駆動期間４２が完了すると、液晶表示装置１１０は、映像表示期間４３に入る。
【００５０】
映像表示期間４３の間には、第１アナログスイッチ１２１は、ＶＣＯＭを選択して、第１アナログスイッチ１２１の出力端子に出力するよう制御される。従って、第１バッファアンプ１３１は、第１アナログスイッチ１２１からＶＣＯＭを入力する。そして、第１バッファアンプ１３１は、入力したＶＣＯＭの電圧を安定化させ、第２アナログスイッチ１２２に安定化されたＶＣＯＭを出力する。
【００５１】
映像表示期間４３の間には、第２アナログスイッチ１２２は、第１バッファアンプ１３１の出力を選択して、第２アナログスイッチ１２２の出力端子に出力するよう制御される。従って、映像表示期間４３の間には、対向電極２４には、図１２に示すように安定化されたＶＣＯＭが、対向電圧（ＶＣＯＭ）として印加される。このＶＣＯＭは、５ボルト程度の電圧である。
【００５２】
一方、映像表示期間４３の間には、第３アナログスイッチ１２３は、ＣＳＴを選択して、第３アナログスイッチ１２３の出力端子に出力するよう制御される。従って、映像表示期間４３の間には、共通電極２５には、蓄積容量電圧（ＣＳＴ）として、第３アナログスイッチ１２３によって選択されたＣＳＴが供給される。
【００５３】
そして、映像表示期間４３の間には、コントローラ回路２から送られてく表示電圧に対応する電圧をソースドライバ４がソース信号線９に印加する。一方、ゲートドライバ５は、各ゲート信号線１０を選択的に走査し、液晶表示パネル６の選択された画素電極２２に表示データに対応する電圧が書き込まれる。そして画素電極２２に書き込まれた電圧は、蓄積容量ＣＳＴ２３によって次に画素電極２２に電圧が書き込まれるまで保持される。
【００５４】
このようにして液晶表示装置１１０は、表示データの表示を開始する。
【発明の開示】
【発明が解決しようとする課題】
【００５５】
ところが、入力電源１２をオフ状態からオン状態に切り替えた後の初期化期間４１の間には、転移駆動機能付電圧発生回路１１４は、対向電圧（ＶＣＯＭ）として、ＡＶＤＤ／２を出力し、蓄積容量電圧（ＣＳＴ）としてＡＶＤＤ／２を出力することによって、ＯＣＢモードを用いた液晶層を電圧無印加状態にする必要がある。
【００５６】
このとき、図１１における転移駆動機能付電圧発生回路１１４において、第１アナログスイッチ１２１のオン抵抗をＲＯＮ１とし、第２アナログスイッチ１２２のオン抵抗をＲＯＮ２とし、第３アナログスイッチ１２３のオン抵抗をＲＯＮ３とし、ＶＣＯＭのオン抵抗をＲＶＣＯＭとし、ＣＳＴのオン抵抗をＲＣＳＴとすると、以下の関係式が成立する。
【００５７】
（数１）
ＲＶＣＯＭ＝ＲＯＮ１＋ＲＯＮ２
（数２）
ＲＣＳＴ＝ＲＯＮ３
従って、ＲＯＮ１＋ＲＯＮ２がＲＯＮ３に等しくない場合、例えば、ＲＯＮ１＋ＲＯＮ２＞３の関係が成り立つ場合には、図１２に示すように、対向電圧（ＶＣＯＭ）１４２の立ち上がり時間ｔｒ１は、蓄積容量電圧（ＣＳＴ）の立ち上がり時間ｔｒ２よりも長くなる。
【００５８】
転移駆動を安定して行い、転移駆動期間４２を時間的に短縮するために、初期化期間４１において、対向電圧（ＶＣＯＭ）１４２と蓄積容量電圧（ＣＳＴ）１４３が同じ波形すなわち、それらの電圧値及び立ち上がり時間が同じである必要がある。
【００５９】
従って、初期化期間４１において、対向電圧（ＶＣＯＭ）１４２の立ち上がり時間ｔｒ１と蓄積容量電圧（ＣＳＴ）１４３の立ち上がり時間を一致させる必要がある。そのためには、数１に示すＲＶＣＯＭと数２に示すＲＣＳＴとを一致させなければならない。すなわち、ＲＯＮ１＋ＲＯＮ２＝ＲＯＮ３となるように各アナログスイッチのオン抵抗を調整する必要がある。このように各アナログスイッチのオン抵抗を調整するのは困難である。
【００６０】
すなわち、ＯＣＢモードを用いた液晶表示装置を起動する際、初期化期間に、ＯＣＢモードを用いた液晶層を電圧無印加状態に保つための各種電圧を供給するために用いられる各アナログスイッチのオン抵抗を調整することは困難であるという課題がある。
【００６１】
本発明は、上記課題を考慮し、初期化期間において、対向電圧（ＶＣＯＭ）と蓄積容量電圧（ＣＳＴ）とを容易に同じ波形にすることが出来る液晶駆動電圧発生回路、集積回路及び液晶駆動電圧発生方法を提供することを目的とするものである。  
【課題を解決するための手段】
【００６２】
上述した課題を解決するために、第１の本発明は、
マトリックス状に配置されたソース信号線及びゲート信号線と、前記ソース信号線及びゲート信号線の交点に設けられた画素電極及び蓄積容量と、対向電極と、前記画素電極と対向電極との間に狭持されたＯＣＢモード液晶と、共通電極とを有し、前記蓄積容量の一端は、前記画素電極に接続されており、前記蓄積容量の他端は前記共通電極に接続されている液晶表示パネルと、
前記ゲート信号線にゲート信号を供給するゲートドライバと、
前記ソース信号線にソース信号を供給するソースドライバとを備えた液晶表示装置に供給する液晶駆動電圧を発生する液晶駆動電圧発生回路であって、
入力されてくる対向電圧と、入力されてくる、ソースドライバ用アナログ電圧に基づく電圧とのいずれかを選択して出力する第１のアナログスイッチと、
前記第１のアナログスイッチからの出力電圧を安定化させるバッファアンプと、
前記第１のアナログスイッチからの出力電圧と第１の転移駆動電圧と第２の転移駆動電圧とのいずれかを選択して出力する第２のアナログスイッチと、
前記バッファアンプの出力と、入力されてくる蓄積容量電圧とのいずれかを選択して出力する第３のアナログスイッチとを備え、
前記第２のアナログスイッチの出力は、前記対向電極に接続され、
前記第３のアナログスイッチの出力は、前記共通電極に接続され、
前記液晶表示装置が起動された時点から所定の期間である初期化期間であって、前記ＯＣＢモード液晶を均質なスプレイ状態にする前記初期化期間には、前記第１のアナログスイッチは、前記ソースドライバ用アナログ電圧に基づく電圧を選択して出力するよう制御され、前記第２のアナログスイッチは、前記バッファアンプの出力を選択して出力するよう制御され、前記第３のアナログスイッチは、前記バッファアンプの出力を選択して出力するよう制御される、液晶駆動電圧発生回路である。
【００６３】
また、第２の本発明は、前記初期化期間の後の期間である転移駆動期間であって、前記ＯＣＢモード液晶をスプレイ状態からベンド状態に転移させる前記転移駆動期間には、前記第２のアナログスイッチは、前記第１の転移駆動電圧と前記第２の転移駆動電圧とを交互に選択して出力するよう制御され、前記第３のアナログスイッチは、前記蓄積容量電圧を選択して出力するよう制御される、第１の本発明の液晶駆動電圧発生回路である。
【００６４】
また、第３の本発明は、前記転移期間の後の期間である映像表示期間であって、入力画像を前記液晶表示パネルに表示する前記映像表示期間には、前記第２のアナログスイッチは、前記バッファアンプの出力を選択して出力するよう制御され、前記第３のアナログスイッチは、前記蓄積容量電圧を選択して出力するよう制御される、第２の本発明の液晶駆動電圧発生回路である。
【００６５】
また、第４の本発明は、前記ソースドライバ用アナログ電圧に基づく電圧とは、前記ソースドライバ用アナログ電圧から生成され、その電圧値が前記ソースドライバ用アナログ電圧の半分の電圧値を有する電圧である、第１の本発明の液晶駆動電圧発生回路である。
【００６６】
また、第５の本発明は、前記第１、第２、第３のアナログスイッチは、それぞれ半導体を用いたスイッチである、第１の本発明の液晶駆動電圧発生回路である。
【００６７】
また、第６の本発明は、第１の本発明の液晶駆動電圧発生回路と、
基板とを備え、
前記液晶駆動電圧発生回路は、前記基板上に形成されている、集積回路である。
【００６８】
また、第７の本発明は、マトリックス状に配置されたソース信号線及びゲート信号線と、前記ソース信号線及びゲート信号線の交点に設けられた画素電極及び蓄積容量と、対向電極と、前記画素電極と対向電極との間に狭持されたＯＣＢモード液晶と、共通電極とを有し、前記蓄積容量の一端は、前記画素電極に接続されており、前記蓄積容量の他端は前記共通電極に接続されている液晶表示パネルと、
前記ゲート信号線にゲート信号を供給するゲートドライバと、
前記ソース信号線にソース信号を供給するソースドライバとを備えた液晶表示装置に供給する液晶駆動電圧を発生する液晶駆動電圧発生方法であって、
入力されてくる対向電圧と、入力されてくる、ソースドライバ用アナログ電圧に基づく電圧とのいずれかを選択して出力する第１の選択ステップと、
前記第１の選択ステップで選択された電圧を安定化させる安定化ステップと、
前記第１の選択ステップで選択された電圧と第１の転移駆動電圧と第２の転移駆動電圧とのいずれかを選択して出力する第２の選択ステップと、
前記安定化ステップで安定化された電圧と、入力されてくる蓄積容量電圧とのいずれかを選択して出力する第３の選択ステップとを備え、
前記第２の選択ステップからの出力電圧は、前記対向電極に供給され、
前記第３の選択ステップからの出力電圧は、前記共通電極に供給され、
前記液晶表示装置が起動された時点から所定の期間である初期化期間であって、前記ＯＣＢモード液晶を均質なスプレイ状態にする前記初期化期間には、前記第１の選択ステップは、前記ソースドライバ用アナログ電圧に基づく電圧を選択して出力し、前記第２の選択ステップは、前記安定化ステップで安定化された電圧を選択して出力し、前記第３の選択ステップは、前記安定化ステップで安定化された電圧を選択して出力する、液晶駆動電圧発生方法である。
【発明の効果】
【００６９】
本発明は、初期化期間において、対向電圧（ＶＣＯＭ）と蓄積容量電圧（ＣＳＴ）とを容易に同じ波形にすることが出来る液晶駆動電圧発生回路、集積回路、及び液晶駆動電圧発生方法を提供することが出来る。  
【発明を実施するための最良の形態】
【００７０】
以下に、本発明の実施の形態を図面を参照して説明する。
【００７１】
図１は、ＯＣＢモードを用いた液晶表示装置１の概略構成を示す図である。
【００７２】
液晶表示装置１は、液晶モジュール１１、インバータ７、入力電源１２から構成されている。
【００７３】
そして、液晶モジュール１１は、液晶表示パネル６、ソースドライバ４、ゲートドライバ５、冷陰極管８、コントローラ回路２と、液晶駆動電圧発生回路３とから構成されており、図１の例では、これらが同一基板上に配置されている。
【００７４】
また、ソースドライバ４には、複数のソース信号線９が接続されており、ゲートドライバ５には、複数のゲート信号線１０が接続されている。そして、液晶表示パネル６には、ソース信号線９とゲート信号線１０とが、マトリックス状に形成されており、ソース信号線９とゲート信号線１０との各交点に、各画素（図示せず）が形成されている。
【００７５】
図２に、液晶表示装置１のブロック図を示す。ただし、図２では、インバータ７、冷陰極管８の記載は省略している。
【００７６】
入力電源１２は、液晶表示装置１が動作するための電源を供給する手段である。
【００７７】
コントローラ回路２は、画像信号処理や駆動タイミングを制御する回路である。コントローラ回路２は、表示データを入力し、その表示データに対応する表示信号を出力し、また、ソースドライバ４、ゲートドライバ５、液晶駆動電圧発生回路３に対してタイミング制御信号を送る回路である。
【００７８】
液晶表示パネル６は、上述したように、マトリックス状に配置されたソース信号線９及びゲート信号線１０と、ソース信号線９及びゲート信号線１０の交点に設けられ、ＯＣＢモード液晶を使用した画素とを有する表示パネルである。
【００７９】
ゲートドライバ５は、液晶表示パネル６の各ゲート信号線１０に線順次走査を行うための選択走査信号を供給する回路である。
【００８０】
ソースドライバ４は、液晶表示パネル６の各ソース信号線９に画像信号電圧を供給する回路である。
【００８１】
図３は、液晶表示装置２のうち、液晶表示パネル６の１画素近傍、及びソースドライバ４の部分を示す図である。
【００８２】
ソースドライバ４にはソース信号線９が接続されており、またゲートドライバ５にはゲート信号線１０が接続されている。
【００８３】
そして、ソース信号線９とゲート信号線１０の交点には、画素トランジスタ２１、画素電極２２、及び補償電位を保持するための蓄積容量ＣＳＴ２３が形成されており、画素電極２２と対向電極２４との間には図示していないＯＣＢモードの液晶層が狭持されている。また、蓄積容量ＣＳＴ２３の一端は画素電極２２に接続され、蓄積容量ＣＳＴ２３の他端は、共通電極２５に接続されている。
【００８４】
また、画素トランジスタ２１のゲートはゲート信号線１０に接続されており、画素トランジスタ２１のソースはソース信号線９に接続されており、画素トランジスタ２１のドレインは、画素電極２２に接続されている。
【００８５】
また、ＣＬＣ２６は、画素電極２２と対向電極２４とＯＣＢモードの液晶層とから形成される容量であり、ＣＧＳ２７は画素トランジスタ２１のゲートとソースとの間で形成される容量であり、ＣＧＤ２８は、画素トランジスタ２１のゲートとドレインとの間で形成される容量である。
【００８６】
なお、以下の記述で画素とは、画素電極２２、画素トランジスタ２１、蓄積容量ＣＳＴ２３、対向電極２４の画素電極２２に対向する部分、及び対向電極２４の画素電極２２に対向する部分と画素電極２２とで狭持されたＯＣＢモードの液晶層の部分を言うものとする。
【００８７】
図２に戻って、液晶駆動電圧発生回路３は、入力電源１２から電源の供給を受けて、各種の駆動電圧を出力する回路である。
【００８８】
図４に、液晶駆動電圧発生回路３の詳細な構成を示す。液晶駆動電圧発生回路３は、ソースドライバ用駆動電圧発生回路３１、ゲートドライバ用駆動電圧発生回路３２、対向電圧発生回路３４、及び蓄積容量電圧発生回路３５を備えている。このうち対向電圧発生回路３４と蓄積容量電圧発生回路３５とをまとめて転移駆動機能付電圧発生回路３３と呼ぶことにする。
【００８９】
ソースドライバ用駆動電圧発生回路３１は、ソースドライバ４に対してソースドライバ用駆動電圧（ＡＶＤＤ）を供給する回路である。ゲートドライバ用駆動電圧発生回路３２は、ゲートドライバ５に対して、ゲートドライバ用駆動電圧（ＶＧＧ、ＶＥＥ）を供給する回路である。対向電圧発生回路３４は、対向電極２４に対して、対向電圧（ＶＣＯＭ）を供給する回路である。蓄積容量電圧発生回路３５は、共通電極２５に対して、蓄積容量電圧（ＣＳＴ）を供給する回路である。
【００９０】
図５に転移駆動機能付電圧発生回路３３の回路構成を示す。転移駆動機能付電圧発生回路３３は、第１アナログスイッチ５１、第２アナログスイッチ５２、第３アナログスイッチ５３、バッファアンプ５４から構成される。なお、転移駆動機能付電圧発生回路３３を含む液晶駆動電圧発生回路３は、ＩＣ（集積回路）として形成されている。すなわち、集積回路用基板上または内部に転移駆動機能付き電圧発生回路３３を含む液晶駆動電圧発生回路３がＩＣ（集積回路）として形成されている。
【００９１】
第１アナログスイッチ５１、第２アナログスイッチ５２、第３アナログスイッチ６３は、それぞれ、ＦＥＴやダイオードなどをスイッチ素子として使った電子的なスイッチ回路である。このようなアナログスイッチは、例えばＮチャンネルＭＯＳＦＥＴ（ＭＥＴＡＬ−Ｏｘｉｄｅ−Ｓｅｍｉｃｏｎｄｕｃｔｏｒ  Ｆｉｅｌｄ  Ｅｆｆｅｃｔ  Ｔｒａｎｓｉｓｔｏｒ）及びＰチャンネルＭＯＳＦＥＴを並列に接続し、信号をどちらからでも通過することが出来るようにし、２個のＭＯＳＦＥＴを、内部コントロール回路によってオン（導通）及びオフ（遮断）の動作をさせることによって形成することが出来る。
【００９２】
また、バッファアンプ５４は、液晶表示パネル６の各種信号配線の負荷容量に電圧を安定して供給するための回路である。
【００９３】
第１アナログスイッチ５１は、２個の入力端子と１個の出力端子とを有しており、２個の入力端子のうちの一方の端子には、対向電圧（ＶＣＯＭ）が入力され、２個の入力端子のうちの他方の端子には、ソースドライバ用駆動電圧（ＡＶＤＤ）の半分の電圧（以下ＡＶＤＤ／２と呼ぶ）が入力されるよう結線されている。そして、第１アナログスイッチ５１の出力端子は、バッファアンプ５４の入力端子に接続されている。
【００９４】
また、バッファアンプ５４の出力端子は、３個の入力端子を有する第２アナログスイッチ５２の一つの入力端子と、２個の入力端子を有する第３アナログスイッチ５３の一つの入力端子に接続されている。
【００９５】
第２アナログスイッチ５２の残りの二つの入力端子には、ＶＤＨ及びＶＳＤがそれぞれ入力されるように結線されている。そして、第２アナログスイッチ１２２の出力端子は、図３に示す対向電極２４に接続されている。なお、ＶＤＨは、３０ボルト程度の電圧であり、ＶＳＤは、―２０ボルト程度の電圧である。
【００９６】
また、第３アナログスイッチ５３のバッファアンプ５４が接続されていない方の入力端子には、蓄積容量電圧（ＣＳＴ）が入力されるよう結線されている。そして、第３アナログスイッチ５３の出力端子は、図３に示す共通電極２５に接続されている。
【００９７】
なお、本実施の形態の転移駆動機能付電圧発生回路は、本発明の液晶駆動電圧発生回路の例である。
【００９８】
次に、このような液晶表示装置１の動作を説明する。
【００９９】
液晶表示装置１の電源スイッチをオン状態にした際、入力電源１２は、コントローラ回路２と液晶駆動電圧発生回路３とに供給され、まず、コントローラ回路２が起動される。そして、コントローラ回路２は、ソースドライバ４に対して画像表示信号とタイミング制御信号を送り、ゲートドライバ５に対してタイミング制御信号を送る。
【０１００】
液晶駆動電圧発生回路３３のソースドライバ用駆動電圧発生回路３１は、ソースドライバ４に対してソースドライバ用駆動電圧（ＡＶＤＤ）を供給する。また、液晶駆動電圧発生回路３３のゲートドライバ用駆動電圧発生回路３２は、ゲートドライバ５に対してゲートドライバ用駆動電圧（ＶＧＧ、ＶＥＥ）を供給する。また、液晶駆動電圧発生回路３３の対向電圧発生回路３４は、対向電極２４に対して、対向電圧（ＶＣＯＭ）を供給する。また、液晶駆動電圧発生回路３３の蓄積容量電圧発生回路３５は、共通電極２５に対して、蓄積容量電圧（ＣＳＴ）を供給する。
【０１０１】
入力電源１２がオフ状態からオン状態に切り替えられてから、液晶表示装置１１０は、初期化期間、及び転移駆動期間を経て、映像表示期間に入ってから初めて液晶表示パネル６に入力画像データの表示を開始する。以下、初期化期間、転移駆動期間、及び映像表示期間までの液晶表示装置１の動作を詳細に説明する。
【０１０２】
図６は、図２に示す液晶表示装置１の入力電源１２がオフ状態からオン状態に切り替えられてから実際の表示データが液晶表示パネル６に表示されるまでの間に、各種の電圧が時間的にどのように変化するかを示す図である。図６では、紙面に向かって左側から右側に向かって時間が経過している。
【０１０３】
図６において、６１は、入力電源１２の出力電圧である。６２は、図４に示す転移駆動機能付電圧発生回路３３から図３に示す対向電極２４に供給される対向電圧（ＶＣＯＭ）を示している。６３は、図４に示す転移駆動機能付電圧発生回路１１４から図３に示す共通電極２５に供給される蓄積容量電圧（ＣＳＴ）を示している。
【０１０４】
また、初期化期間４１は、液晶表示パネル６のＯＣＢモードを用いた液晶層を電圧無印加状態にする期間である。すなわち、液晶表示パネル６のＯＣＢモードを用いた液晶層に対して電圧無印加状態を保つことにより、ＯＣＢモードを用いた液晶層は、均質なスプレイ状態になる。このような初期化期間４１を設けることにより、次に説明する転移駆動期間４２の時間的な長さを短縮することが出来る。
【０１０５】
また、転移駆動期間４２は、初期化期間４１に引き続く期間であり、液晶表示パネル６のＯＣＢモードを用いた液晶層に高い電圧を印加することによりＯＣＢモードを用いた液晶層をスプレイ状態からベンド状態に転移させる期間である。
【０１０６】
また、映像表示期間４３は、転移駆動期間４２に引き続く期間であり、動画や静止画などの表示データを液晶表示パネル６に実際に表示する期間である。
【０１０７】
次に、図６を参照して、液晶表示装置１１０の入力電源１２がオフ状態からオン状態に切り替えられ、液晶表示装置１１０の液晶表示パネル６に動画や静止画などの表示データが表示されるまでの動作を詳細に説明する。
【０１０８】
図２において、液晶表示装置１の入力電源１２がオフ状態からオン状態に切り替えられると、入力電源１２の出力電圧は、０ボルトから一定の電圧になる。そして、液晶表示装置１は初期化期間４１に入る。
【０１０９】
初期化期間４１の間には、図５に示す転移駆動機能付電圧発生回路３３の第１のアナログスイッチ５１は、ＡＶＤＤ／２を選択してバッファアンプ５４に出力するよう制御される。従って、初期化期間４１には、バッファアンプ５４には、ＡＶＤＤ／２が入力される。バッファアンプ５４は、ＡＶＤＤ／２の電圧を安定化させ、第２アナログスイッチ５２に出力する。ソースドライバ用駆動電圧（ＡＶＤＤ）は通常１３ボルト程度の電圧であるので、ＡＶＤＤ／２は、６．５ボルト程度の電圧になる。
【０１１０】
また、初期化期間４１の間には、第２アナログスイッチ５２は、バッファアンプ５４の出力を選択して、第２アナログスイッチ５２の出力端子から出力するよう制御される。従って、初期化期間４１には、対向電圧として、ＡＶＤＤ／２、すなわち、ソースドライバ用駆動電圧（ＡＶＤＤ）の半分の電圧が対向電極２４に供給される。
【０１１１】
また、初期化期間４１の間には、第３アナログスイッチ５３は、バッファアンプ５４の出力を選択して、第３アナログスイッチ５３の出力端子から出力するよう制御される。従って、初期化期間４１には、第３アナログスイッチ１２３は、バッファアンプ５４で安定化されたＡＶＤＤ／２を、蓄積容量電圧（ＣＳＴ）として、図３に示す共通電極２５に供給する。
【０１１２】
さらに、初期化期間４１の間には、ソースドライバ用駆動電圧発生回路３１は、ソースドライバ用駆動電圧（ＡＶＤＤ）をソースドライバ４に供給し、ソースドライバ４は、各ソース信号線にソースドライバ用駆動電圧（ＡＶＤＤ）の半分の電圧、すなわち、ＡＶＤＤ／２を印加し、ゲートドライバ５は画素トランジスタ２１が導通状態になるようにゲート信号を供給する。
【０１１３】
従って、初期化期間４１の間には、図３における画素電極２２の電圧も、対向電極２４の電圧も、共通電極２５の電圧も全てＡＶＤＤ／２の電圧が印加されるので、ＯＣＢモードを用いた液晶層に対して、電圧無印加状態を実現することが出来る。
【０１１４】
このように、初期化期間４１の間には、対向電極２４にＡＶＤＤ／２の電圧が印加され、共通電極２５にもＡＶＤＤ／２の電圧が印加されるので、液晶表示パネル６のＯＣＢモードを用いた液晶層に対して電圧無印加状態を保つことが出来る。従って、ＯＣＢモードを用いた液晶層は、均質なスプレイ状態になる。  
【０１１５】
初期化期間４１が完了すると、液晶表示装置１１０は、転移駆動期間４２に入る。
【０１１６】
転移駆動期間４２の間には、図５に示す転移駆動機能付電圧発生回路３３の第２アナログスイッチ５２は、ＶＳＤとＶＤＨとを交互に選択して第２アナログスイッチの出力端子５２から出力するよう制御される。このときバッファアンプ５４の出力は第２アナログスイッチ５４によって選択されないので、第１アナログスイッチ５１はどのような状態であっても構わない。前述したようにＶＤＨは、３０ボルト程度の高電圧であり、ＶＳＤは、−２０ボルト程度の低電圧である。
【０１１７】
また、転移駆動期間４２の間には、第３アナログスイッチ５３は、ＣＳＴを選択して、第３アナログスイッチ５３の出力端子から出力するよう制御される。従って、転移駆動期間４２の間には、第３アナログスイッチ５３は、蓄積容量電圧（ＣＳＴ）を、共通電極２５に供給する。蓄積容量電圧（ＣＳＴ）は通常０ボルトから２ボルト程度の電圧である。
【０１１８】
転移駆動期間４２の間には、転移駆動機能付電圧発生回路３３は、図６に示すように、共通電極２５に、最大電圧であるＶＤＨと最小電圧であるＶＳＤと交互に供給することにより、対向電極２４の電圧を大きく変化させる。そして、ゲートドライバ５は、ゲート信号線１０を１ラインずつ走査し、ソースドライバ４は、ドット反転駆動で高電圧（黒色）に対応する電圧）をソース信号線９に印加する。すなわち、隣り合う画素毎に画素電極２２に印加される信号電圧の極性を反転させて高電圧（黒色）に対応する電圧をソース信号線９に印加する。このように、転移駆動期間４２には、液晶表示パネル６のＯＣＢモード液晶を用いた液晶層を撹乱方式でスプレイ状態からベンド状態に転移させる。
【０１１９】
転移駆動期間４２が完了すると、液晶表示装置１は、映像表示期間４３に入る。
【０１２０】
映像表示期間４３の間には、第１アナログスイッチ５１は、ＶＣＯＭを選択して、第１アナログスイッチ５１の出力端子に出力するよう制御される。従って、バッファアンプ５４は、第１アナログスイッチ５１からＶＣＯＭを入力する。そして、バッファアンプ５４は、入力したＶＣＯＭの電圧を安定化させ、第２アナログスイッチ５２に安定化されたＶＣＯＭを出力する。
【０１２１】
映像表示期間４３の間には、第２アナログスイッチ５２は、バッファアンプ５４の出力を選択して、第２アナログスイッチ５２の出力端子に出力するよう制御される。従って、映像表示期間４３の間には、対向電極２４には、図６に示すように安定化されたＶＣＯＭが、対向電圧（ＶＣＯＭ）として印加される。このＶＣＯＭは、５ボルト程度の電圧である。
【０１２２】
一方、映像表示期間４３の間には、第３アナログスイッチ５３は、ＣＳＴを選択して、第３アナログスイッチ５３の出力端子に出力するよう制御される。従って、映像表示期間４３の間には、共通電極２５には、蓄積容量電圧（ＣＳＴ）として、第３アナログスイッチ５３によって選択されたＣＳＴが供給される。
【０１２３】
そして、映像表示期間４３の間には、コントローラ回路２から送られてく表示電圧に対応する電圧をソースドライバ４がソース信号線９に印加する。一方、ゲートドライバ５は、各ゲート信号線１０を選択的に走査し、液晶表示パネル６の選択された画素電極２２に表示データに対応する電圧が書き込まれる。そして画素電極２２に書き込まれた電圧は、蓄積容量ＣＳＴ２３によって次に画素電極２２に電圧が書き込まれるまで保持される。
【０１２４】
このようにして液晶表示装置１１０は、動画や静止画などの表示データの表示を開始する。
【０１２５】
ところで、入力電源１２をオフ状態からオン状態に切り替えた後の初期化期間４１の間には、転移駆動機能付電圧発生回路３３は、対向電圧（ＶＣＯＭ）として、ＡＶＤＤ／２を出力し、蓄積容量電圧（ＣＳＴ）としてＡＶＤＤ／２を出力することによって、ＯＣＢモードを用いた液晶層を電圧無印加状態にしていることは、上述した。
【０１２６】
このとき、図５における転移駆動機能付電圧発生回路３３において、第１アナログスイッチ５１のオン抵抗をＲＯＮ１とし、第２アナログスイッチ５２のオン抵抗をＲＯＮ２とし、第３アナログスイッチ５３のオン抵抗をＲＯＮ３とし、ＶＣＯＭのオン抵抗をＲＶＣＯＭとし、ＣＳＴのオン抵抗をＲＣＳＴとすると、以下の関係式が成立する。
【０１２７】
（数３）
ＲＶＣＯＭ＝ＲＯＮ１＋ＲＯＮ２
（数４）
ＲＣＳＴ＝ＲＯＮ１＋ＲＯＮ３
従って、ＲＯＮ２とＲＯＮ３とが等しくなるように、第２アナログスイッチ５２のオン抵抗と第３アナログスイッチ５３のオン抵抗を調整するだけでＲＶＣＯＭとＲＣＳＴとを等しくすることが出来る。
【０１２８】
図１１に示す従来方式では、第１アナログスイッチ１２１のオン抵抗と、第２アナログスイッチ１２２のオン抵抗と第３アナログスイッチ１２３のオン抵抗との全てを調整する必要があった。すなわち、ＲＯＮ１＋ＲＯＮ２が、ＲＯＮ３に等しくなるように各アナログスイッチのオン抵抗を調整する必要があった。
【０１２９】
これに対して、図５に示す転移駆動機能付電圧発生回路３３では、第１アナログスイッチ５１のオン抵抗は調整する必要がなく、第２アナログスイッチ５２のオン抵抗と第３アナログスイッチ５３のオン抵抗とが等しくなるように、第２アナログスイッチ５２及び第３アナログスイッチ５３を調整するだけでよい。従って、従来方式に比較して、オン抵抗を調整しなければならないアナログスイッチの個数が少なくなるので、図５に示す転移駆動機能付電圧発生回路３３を集積回路として設計及び製造する際には、従来方式に較べて容易に設計及び製造を行うことが出来る。
【０１３０】
すなわち、数３におけるＲＯＮ２と数４におけるＲＯＮ３とを等しくなるように、第２アナログスイッチ５２のオン抵抗と第３アナログスイッチのオン抵抗５３のオン抵抗とを等しくなるようにすれば、ＲＶＣＯＭとＲＣＳＴとが等しくなるので、初期化期間４１において、対向電圧（ＶＣＯＭ）６２の立ち上がり時間ｔｒ３は、蓄積容量電圧（ＣＳＴ）の立ち上がり時間ｔｒ４と等しくなる。
【０１３１】
従って、初期化期間４１において対向電圧（ＶＣＯＭ）６２の波形と蓄積容量電圧（ＣＳＴ）６３の波形が等しくなるので、初期化期間４１が従来方式よりも短時間であっても、ＯＣＢモードを用いた液晶層を、十分均質なスプレイ状態にすることが出来る。
【０１３２】
なお、本実施の形態では、転移駆動機能付電圧発生回路３３を含む液晶駆動電圧発生回路３は、ＩＣ（集積回路）として構成されているとして背説明したが、転移駆動機能付き電圧発生回路３３を含む液晶駆動電圧発生回路３が複数のＩＣ（集積回路）のチップから構成されていてもよく、また、一つのＩＣ（集積回路）のチップから構成されていてもよい。さらに、転移駆動機能付電圧発生回路３３のみが一つのＩＣ（集積回路）のチップから構成されていても構わない。
【０１３３】
さらに、本実施の形態では、初期化期間４１には、共通電極２５に、蓄積容量電圧（ＣＳＴ）として、ＡＶＤＤ／２の電圧を供給するとともに、対向電極２４にも、対向電圧（ＶＣＯＭ）として、ＡＶＤＤ／２の電圧を供給し、さらに、ソース信号線９にもＡＶＤＤ／２の電圧を供給するとして説明したが、これに限らない。初期化期間４１には、蓄積容量電圧（ＣＳＴ）、対向電圧（ＶＣＯＭ）及びソース信号線９に印加する電圧として、同じ電圧を供給しさえすれば、ＡＶＤＤ／２から多少ずれた電圧を供給しても構わない。
【０１３４】
さらに、本実施の形態では、ソースドライバ用駆動電圧（ＡＶＤＤ）が１３ボルト程度の電圧であるとして、説明したが、液晶表示装置１の回路構成に応じた電圧でありさえすれば、ソースドライバ用駆動電圧（ＡＶＤＤ）が１３ボルト以外の電圧であっても構わない。
【０１３５】
さらに、本実施の形態では、ＶＤＨとＶＳＤがそれぞれ、３０ボルト程度の電圧と−２０ボルト程度の電圧とであるとして説明したが、液晶表示装置１の回路構成に応じた電圧でありさえすれば、ＶＤＨが３０ボルト以外の電圧であり、ＶＳＤが−２０ボルト以外の電圧であっても構わない。要するに、液晶表示装置の回路構成で実現出来る範囲で、ＶＤＨは、プラスの高電圧であり、ＶＳＤはマイナスの電圧であって、その絶対値が大きい電圧でありさえすればよい。
【０１３６】
さらに、本実施の形態では、映像表示期間４３において、蓄積容量電圧（ＣＳＴ）が０ボルト程度から２ボルト程度の電圧であるとして説明したが、これに限らない。液晶表示装置１の回路構成に応じた電圧でありさえすれば、映像表示期間４３において、蓄積容量電圧（ＣＳＴ）が０ボルト程度から２ボルト程度までの範囲以外の電圧であっても構わない。
【０１３７】
さらに、本実施の形態では、映像表示期間４３において、対向電圧（ＶＣＯＭ）は、５ボルト程度の電圧であるとして説明したが、これに限らない。映像表示期間４３において、対向電圧（ＶＣＯＭ）は、液晶表示装置１の回路構成に応じた電圧でありさえすれば、５ボルト程度以外の電圧であっても構わない。
【産業上の利用可能性】
【０１３８】
本発明にかかる液晶駆動電圧発生回路、集積回路、及び液晶駆動電圧発生方法は、初期化期間において、対向電圧（ＶＣＯＭ）と蓄積容量電圧（ＣＳＴ）とを容易に同じ波形にすることが出来るという効果を有し、ＯＣＢモード液晶を用いた液晶表示装置に供給する液晶駆動電圧を発生する液晶駆動電圧発生回路、集積回路、及び液晶駆動電圧発生方法等に有用である。
【図面の簡単な説明】
【０１３９】
【図１】本発明の実施の形態におけるＯＣＢモードを用いた液晶表示装置の全体構成を示す図
【図２】本発明の実施の形態におけるＯＣＢモードを用いた液晶表示装置の構成を示すブロック図
【図３】本発明の実施の形態におけるＯＣＢモードを用いた液晶表示装置のうち、液晶表示パネルの１画素近傍、及びソースドライバの部分を示す図
【図４】本発明の実施の形態における転移駆動機能付電圧発生回路の構成を示す図
【図５】本発明の実施の形態における転移駆動機能付き電圧発生回路の回路構成を示す図
【図６】本発明の実施の形態における液晶表示装置の各種の電圧波形を示す図
【図７】（ａ）従来のＯＣＢモードを用いた液晶表示パネルの概略を示す図であって、スプレイ状態を示す図  （ｂ）従来のＯＣＢモードを用いた液晶表示パネルの概略を示す図であって、ベンド状態を示す図
【図８】従来のＯＣＢモードを用いた液晶表示装置の構成を示すブロック図
【図９】従来のＯＣＢモードを用いた液晶表示装置のうち、液晶表示パネルの１画素近傍、及びソースドライバの部分を示す図
【図１０】従来の転移駆動機能付電圧発生回路の構成を示す図
【図１１】従来の転移駆動機能付き電圧発生回路の回路構成を示す図
【図１２】従来の液晶表示装置の各種の電圧波形を示す図
【符号の説明】
【０１４０】
１  液晶表示装置
２  コントローラ回路
３  液晶駆動電圧発生回路
４  ソースドライバ
５  ゲートドライバ
６  液晶表示パネル
７  インバータ
９  ソース信号線
１０  ゲート信号線
１１  液晶表示モジュール
１２  入力電源
２１  画素トランジスタ
２２  画素電極
２３  蓄積容量ＣＳＴ
２４  対向電極
２５  共通電極
２６  容量ＣＬＣ
２７  容量ＣＧＳ
２８  容量ＣＧＤ
３１  ソースドライバ用駆動電圧発生回路
３２  ゲートドライバ用駆動電圧発生回路
３３  転移駆動機能付電圧発生回路
３４  対向電圧発生回路
４１  初期化期間
４２  転移駆動期間
４３  映像表示期間
３５  蓄積容量電圧発生回路
５１  第１アナログスイッチ
５２  第２アナログスイッチ
５３  第３アナログスイッチ
５４  バッファアンプ
６１  入力電源の出力電圧波形
６２  対向電圧（ＶＣＯＭ）の電圧波形
６３  蓄積容量電圧（ＣＳＴ）の電圧波形
１０１  液晶分子
１０２  偏光板
１０３  ２軸性フィルム
１０４  ガラス基板
１０６  偏光板
１０７  スプレイ状態
１０８  ベンド状態
【図１】
2007206272.tif 000003
【図２】
2007206272.tif 000004
【図３】
2007206272.tif 000005
【図４】
2007206272.tif 000006
【図５】
2007206272.tif 000007
【図６】
2007206272.tif 000008
【図７】
2007206272.tif 000009
【図８】
2007206272.tif 000010
【図９】
2007206272.tif 000011
【図１０】
2007206272.tif 000012
【図１１】
2007206272.tif 000013
【図１２】
2007206272.tif 000014